(57)【要約】      （修正有）【課題】単一の装置で、シート束を綴じ、またはステープルをシート束から除去することができ、取り扱いが容易で、かつ低コストであるシート束処理装置を提供する。【解決手段】シート束処理装置５００は、複数枚のシートからなるシート束１００を綴じる綴じ部５１０と、シート束１００を綴じるステープルＡをシート束１００から除去する除去部５２０と、を備え、未綴じのシート束１００が綴じる綴じ部５１０にセットされると、綴じ部５１０によりシート束を綴じ、一方、既綴じのシート束１００が除去部５２０にセットされると、除去部５２０によりステープルＡをシート束１００から除去する。【選択図】図１
2019034507.tif 000002
【特許請求の範囲】
【請求項１】
複数枚のシートからなるシート束を綴じる綴じ部と、
シート束を綴じるステープルをシート束から除去する除去部と、を備え、
未綴じのシート束が前記綴じる綴じ部にセットされると、前記綴じ部によりシート束を綴じ、
一方、既綴じのシート束が除去部にセットされると、前記除去部によりステープルをシート束から除去することを特徴とするシート束処理装置。
【請求項２】
複数枚のシートからなるシート束を綴じる綴じ部と、
シート束を綴じるステープルをシート束から除去する除去部と、
前記綴じ部及び前記除去部を移動する駆動手段と、を備え、
未綴じのシート束がセットされると、前記駆動手段により前記綴じ部を移動してシート束を綴じ、
一方、既綴じのシート束がセットされると、前記駆動手段により前記除去部を移動してステープルをシート束から除去することを特徴とするシート束処理装置。
【請求項３】
シート束を綴じる操作を行う綴じ操作部と、
ステープルを除去する操作を行う除去操作部と、を備え、
前記綴じ操作部の操作によりシート束を綴じ、
前記除去操作部の操作によりステープルをシート束から除去することを特徴とする請求項１または請求項２に記載のシート束処理装置。
【請求項４】
シート束を綴じるステープルの有無を検出するステープル有無検出手段を備え、
ステープル無の検出情報に基づき前記駆動手段により前記綴じ部を移動してシート束を綴じ、
一方、ステープル有の検出情報に基づき前記駆動手段により前記除去部を移動してステープルをシート束から除去することを特徴とする請求項２に記載のシート束処理装置。
【発明の詳細な説明】
【技術分野】
【０００１】
この発明は、シート束を綴じ、またはステープルをシート束から除去することができるシート束処理装置に関するものである。
【背景技術】
【０００２】
従来から複数枚のシ−トが分散しないように束ねる手段としてステ−プルが一般的に用いられ、例えば金属で成形されたステ−プルなどがある（特許文献１）。
【０００３】
また、ステ−プルされたシ−ト束は、様々な理由により再度一枚ずつのシートに分離させる必要が生じた場合、シ−ト束からステ−プルを除去する作業が要求される。このステ−プル除去作業を容易化するために、従来、一対のレバ−とレバ−先端に設けられた爪からなり、ユ−ザが一対のレバ−を握り込むことによってレバ−先端に設けられた爪の作用でステ−プルを変形させて、シ−ト束からステープルを除去する装置、及びその改良装置等が多く提案されている（特許文献２）。
【０００４】
また、用紙などの対象物に綴じられたステープルを、パンチ刃でステープルとステープル綴じ部を取り囲む用紙の一部を含めて切り抜き除去する、パンチ処理による方法でステープルを除去する用具が提案されている（特許文献３）。さらに、シート束を綴じているステープルを自動的に除去するためのステープル除去装置を有するシート処理装置が提案されている（特許文献４）。
【先行技術文献】
【特許文献】
【０００５】
【特許文献１】特開２００４−１４２０７４号公報
【特許文献２】特開昭１−３０６１８５号公報
【特許文献３】特許第５３４４３３２号公報
【特許文献４】特開平６−１８６８０７号公報
【発明の概要】
【発明が解決しようとする課題】
【０００６】
このように、複数枚のシートからなるシート束を綴じる専用の装置が提案され、またシート束を綴じるステープルをシート束から除去する専用の装置が提案されているが、共用可能な装置がないため、シート束を綴じたり、テープルを除去するには、それぞれに応じた専用の装置を用いる必要がある。それぞれ専用の装置を用いることは、取り扱いが面倒であるとともに、費用が嵩むなどの問題があった。
【０００７】
この発明は、この点に鑑みてなされたものであって、単一の装置で、シート束を綴じ、またはステープルをシート束から除去することができ、取り扱いが容易で、かつ低コストであるシート束処理装置を提供することを目的としている。
【課題を解決するための手段】
【０００８】
前記課題を解決し、かつ目的を達成するために、この発明は、以下のように構成した。
【０００９】
請求項１の記載の発明は、複数枚のシートからなるシート束を綴じる綴じ部と、
シート束を綴じるステープルをシート束から除去する除去部と、を備え、
未綴じのシート束が前記綴じる綴じ部にセットされると、前記綴じ部によりシート束を綴じ、
一方、既綴じのシート束が除去部にセットされると、前記除去部によりステープルをシート束から除去することを特徴とするシート束処理装置である。
【００１０】
請求項２の記載の発明は、複数枚のシートからなるシート束を綴じる綴じ部と、
シート束を綴じるステープルをシート束から除去する除去部と、
前記綴じ部及び前記除去部を移動する駆動手段と、を備え、
未綴じのシート束がセットされると、前記駆動手段により前記綴じ部を移動してシート束を綴じ、
一方、既綴じのシート束がセットされると、前記駆動手段により前記除去部を移動してステープルをシート束から除去することを特徴とするシート束処理装置である。
【００１１】
請求項３の記載の発明は、シート束を綴じる操作を行う綴じ操作部と、
ステープルを除去する操作を行う除去操作部と、を備え、
前記綴じ操作部の操作によりシート束を綴じ、
前記除去操作部の操作によりステープルをシート束から除去することを特徴とする請求項１または請求項２に記載のシート束処理装置である。
【００１２】
請求項４の記載の発明は、シート束を綴じるステープルの有無を検出するステープル有無検出手段を備え、
ステープル無の検出情報に基づき前記駆動手段により前記綴じ部を移動してシート束を綴じ、
一方、ステープル有の検出情報に基づき前記駆動手段により前記除去部を移動してステープルをシート束から除去することを特徴とする請求項２に記載のシート束処理装置である。
【発明の効果】
【００１３】
前記構成により、この発明は、以下のような効果を有する。
【００１４】
請求項１乃至請求項４に記載の発明では、未綴じのシート束がセットされると、綴じ部によりシート束を綴じ、一方、既綴じのシート束がセットされると、除去部によりステープルをシート束から除去することで、単一の装置で、シート束を綴じ、またはステープルをシート束から除去することができ、取り扱いが容易で、かつ低コストである。
【図面の簡単な説明】
【００１５】
【図１】第１の実施の形態のシート束処理装置を示す図である。
【図２】第２の実施の形態のシート束処理装置を示す図である。
【図３】第３の実施の形態のシート束処理装置を示す図である。
【図４】第４の実施の形態のシート束処理装置を示す図である。
【図５】第５の実施の形態のシート束処理装置を示す図である。
【図６】第６の実施の形態のシート束処理装置を示す図である。
【図７】綴じ部の実施の形態１を示す図である。
【図８】綴じ部の実施の形態２の外観を示す斜視図である。
【図９】綴じ部の断面図である。
【図１０】シート束を閉じる動作を示す図である。
【図１１】シート束を閉じる動作を示す図である。
【図１２】シート束を閉じる動作を示す図である。
【図１３】シート束を閉じる動作を示す図である。
【図１４】シート束を閉じる動作を示す図である。
【図１５】綴じる前の状態のシート束を示す斜視図である。
【図１６】綴じた状態のシート束を示す斜視図である。
【図１７】綴じたシート束を示す図である。
【図１８】除去部の実施の形態１の概略断面図である。
【図１９】除去部の要部の斜視図である。
【図２０】除去部の要部の斜視図である。
【図２１】除去部の作動を説明する図である。
【図２２】除去部の斜視図である。
【図２３】除去部の概略断面図である。
【図２４】除去ベースの斜視図である。
【図２５】シート束をセットした状態を示す図である。
【図２６】ステープルの位置を確認する状態を示す図である。
【図２７】除去部の作動を説明する図である。
【発明を実施するための形態】
【００１６】
以下、この発明のシート束処理装置の実施の形態について説明する。この発明の実施の形態は、発明の最も好ましい形態を示すものであり、この発明はこれに限定されない。
【００１７】
（第１の実施の形態のシート束処理装置）
第１の実施の形態のシート束処理装置を、図１に基づいて説明する。このシート束処理装置５００は、複数枚のシートからなるシート束１００を綴じる綴じ部５１０と、シート束１００を綴じるステープルＡをシート束１００から除去する除去部５２０と、シート束１００を綴じる操作を行う綴じ操作部５３０と、ステープルＡを除去する操作を行う除去操作部５４０と、を備える。
【００１８】
綴じ操作部５３０は、操作ボタンまたは操作レバーを含み、操作ボタンまたは操作レバーの操作により綴じ部５１０を駆動してシート束１００を綴じる。また、除去操作部５４０は、操作ボタンまたは操作レバーを含み、操作ボタンまたは操作レバーの操作により除去部５２０を駆動してステープルＡを除去する。
【００１９】
未綴じのシート束１００が綴じる綴じ部５１０にセットされると、綴じ操作部５３０を操作し、綴じ部５１０を駆動してシート束１００を綴じる。一方、既綴じのシート束１００が除去部５２０にセットされると、除去操作部５４０を操作し、除去部５２０を駆動してステープルＡをシート束１００から除去する。
【００２０】
（第２の実施の形態のシート束処理装置）
第２の実施の形態のシート束処理装置を、図２に基づいて説明する。この実施形態で、第１の実施の形態と同じ構成は、同じ符号を付して説明を省略する。この実施の形態では、未綴じのシート束１００及び既綴じのシート束１００を検出するシート束検出手段５５０ａ，５５０ｂと、シート束検出情報に基づき綴じ部５１０及び除去部５２０を駆動する制御手段５６０と、を備える。
【００２１】
未綴じのシート束１００が綴じる綴じ部５１０にセットされると、シート束検出手段５５０ａは、シート束１００を検出し、そのシート束検出情報を制御手段５６０に送る。制御手段５６０は、シート束検出情報に基づき綴じ部５１０を駆動し、綴じ部５１０によりシート束１００を綴じる。一方、既綴じのシート束１００が除去部５２０にセットされると、シート束検出手段５５０ｂは、シート束１００を検出し、そのシート束検出情報を制御手段５６０に送る。制御手段５６０は、シート束検出情報に基づき除去部５２０によりステープルＡをシート束１００から除去する。シート束検出手段５５０ａ，５５０ｂは、例えば、スイッチなどの接触型センサ、また反射型センサ、透過型センサ、超音波センサなどの非接触型センサを用いることができる。
【００２２】
（第３の実施の形態のシート束処理装置）
第３の実施の形態のシート束処理装置を、図３に基づいて説明する。この実施の形態で、第１の実施の形態と同じ構成は、同じ符号を付して説明を省略する。この実施の形態では、綴じ部５１０及び除去部５２０を移動する駆動手段５６０を備える。
【００２３】
駆動手段５６０は、綴じ部５１０及び除去部５２０を移動する移動機構を含み、移動機構は、例えばガイドなどによりスライドして移動するスライド移動機構、またはターンテーブルなどにより回転して移動する回転移動機構が用いられる。この実施の形態では、移動機構としてスライド移動機構を用いている。
【００２４】
未綴じのシート束１００がセットされると、綴じ操作部５３０を操作し、綴じ部５１０が駆動手段５６０のスライド移動機構によりスライドしてセット位置に移動して綴じ、綴じが終了すると元の位置に退避する。また、既綴じのシート束１００がセットされると、除去部５２０が駆動手段５６０のスライド移動機構によりスライドしてセット位置に移動してステープルＡをシート束１００から除去し、除去が終了すると元の位置に退避する。
【００２５】
（第４の実施の形態のシート束処理装置）
第４の実施の形態のシート束処理装置を、図４に基づいて説明する。この実施の形態で、第１の実施の形態と同じ構成は、同じ符号を付して説明を省略する。この実施の形態では、シート束１００を綴じるステープルＡの有無を検出するステープル有無検出手段５７０と、ステープル有無の検出情報に基づき綴じ部５１０及び除去部５２０を駆動する制御手段５８０と、を備える。
【００２６】
ステープル有無検出手段５７０は、例えば、一対の電極を用いた接触型センサ、スイッチなどの接触型センサ、また反射型センサ、透過型センサ、電磁波センサ、超音波センサなどの非接触型センサを用いることができ、この実施の形態では、一対の電極を用いた接触型センサを用いて、ステープルである金属針の検出を行う。
【００２７】
駆動手段５６０は、綴じ部５１０及び除去部５２０を移動する移動機構を含み、移動機構は、第３の実施の形態と同様に構成され、スライド移動機構を用いている。
【００２８】
未綴じのシート束１００がセットされると、ステープル有無検出手段５７０は、ステープル無の検出を行い、この検出情報を制御手段５８０に送る。制御手段５８０は、ステープル無の検出情報に基づき駆動手段５６０を制御し、綴じ部５１０が駆動手段５６０のスライド移動機構によりスライドしてセット位置に移動して綴じ、綴じが終了すると元の位置に退避する。
【００２９】
一方、既綴じのシート束１００がセットされると、ステープル有無検出手段５７０は、ステープル有の検出を行い、この検出情報を制御手段５８０に送る。制御手段５８０は、ステープル有の検出情報に基づき駆動手段５６０を制御し、除去部５２０が駆動手段５６０のスライド移動機構によりスライドしてセット位置に移動してステープルＡをシート束１００から除去し、除去が終了すると元の位置に退避する。なお、ステープル有無検出手段５７０は、除去部５２０がステープルＡをシート束１００から除去する際に、検出位置から退避させるようにしてもよい。
【００３０】
（第５の実施の形態のシート束処理装置）
第５の実施の形態のシート束処理装置を、図５に基づいて説明する。この実施の形態で、第４の実施の形態と同じ構成は、同じ符号を付して説明を省略する。
【００３１】
この実施の形態では、綴じ操作部５３０と、除去操作部５４０と、報知手段５９０を備える。報知手段５９０は、表示パネル、報知ランプ、または報知ブザーなどで構成され、ステープル有無検出手段５７０のステープル有無の検出情報に基づき作動し、ステープル有無を知らせる。
【００３２】
未綴じのシート束１００がセットされると、ステープル有無検出手段５７０は、ステープル無の検出を行い、この検出情報により報知手段５９０が作動してステープル無を知らせる。この知らせに基づき、綴じ操作部５３０を操作すると、制御手段５８０は、駆動手段５６０を制御し、綴じ部５１０が駆動手段５６０のスライド移動機構によりスライドしてセット位置に移動して綴じ、綴じが終了すると元の位置に退避する。
【００３３】
一方、既綴じのシート束１００がセットされると、ステープル有無検出手段５７０は、ステープル有の検出を行い、この検出情報により報知手段５９０が作動してステープル有を知らせる。この知らせに基づき、綴じ操作部５３０を操作すると、
制御手段５８０は、駆動手段５６０を制御し、除去部５２０が駆動手段５６０のスライド移動機構によりスライドしてセット位置に移動してステープルＡをシート束１００から除去し、除去が終了すると元の位置に退避する。
【００３４】
（第６の実施の形態のシート束処理装置）
第６の実施の形態のシート束処理装置を、図６に基づいて説明する。この実施の形態で、第４の実施の形態と同じ構成は、同じ符号を付して説明を省略する。この実施の形態では、駆動手段５６０は、綴じ部５１０及び除去部５２０を移動する移動機構を含み、移動機構は、回転移動機構を用いている。
【００３５】
未綴じのシート束１００がセットされると、ステープル有無検出手段５７０は、ステープル無の検出を行い、この検出情報を制御手段５８０に送る。制御手段５８０は、ステープル無の検出情報に基づき駆動手段５６０を制御し、綴じ部５１０が駆動手段５６０の回転移動機構により回転してセット位置に移動して綴じ、綴じが終了すると元の位置に退避する。
【００３６】
一方、既綴じのシート束１００がセットされると、ステープル有無検出手段５７０は、ステープル有の検出を行い、この検出情報を制御手段５８０に送る。制御手段５８０は、ステープル有の検出情報に基づき駆動手段５６０を制御し、除去部５２０が駆動手段５６０の回転移動機構により回転してセット位置に移動してステープルＡをシート束１００から除去し、除去が終了すると元の位置に退避する。
【００３７】
また、この実施の形態でも、図５の実施の形態と同様に、綴じ操作部５３０と、除去操作部５４０と、報知手段５９０を備え、報知手段５９０のステープル有無を知らせにより、綴じ操作部５３０または除去操作部５４０を操作するようにしてもよい。
【００３８】
（綴じ部の実施の形態）
綴じ部の実施の形態１を、図７に示す。この実施の綴じ部５１０は、基本的にはベース６００、ステープルマガジン６０１及びキャップ６０２を一端部で回転軸６０３で軸止したものである。
【００３９】
ステープルマガジン６０１は、多数綴られたステープルＡを装填するのでチャンネル状の金具からなり、先端底部にステープルＡを打ち出すための出口６０４を備えている。ステープルマガジン６０１を押えてキャップ６０２を開いたときにステープルマガジン６０１内にステープルＡを装填できる状態とする。
【００４０】
キャップ６０２の先端内側には、図示しないドライバを設けてあり、ドライバは、ステープルマガジン６０１の出口６０４と対向させてあり、ステープルＡを順次打ち出すものである。
【００４１】
綴じ部の実施の形態２を、図８乃至図１７に示す。図８は綴じ部の外観を示す斜視図、図９は綴じ部の断面図、図１０乃至図１４はシート束を閉じる動作を示す図、図１５は綴じる前の状態のシート束を示す斜視図、図１６は綴じた状態のシート束を示す斜視図、図１７は綴じたシート束を示す図である。    
【００４２】
この実施の綴じ部５１０は、紙粉カス収納部４４０を備える。綴じ部５１０は、綴じ針を使用することなくシート束を綴じるものであれば、この実施の形態に限定されず、周知のものが用いられる。
【００４３】
図８（ａ）の実際の形態では、綴じ部５１０がシート束１００を綴じる位置Ｔ１は、シート束１００の後端隅部で、かつ後端と平行になっている。図８（ｂ）の実際の形態では、綴じ部５１０がシート束１００を綴じる位置Ｔ１は、シート束１００の後端隅部で、かつ後端と４５度の角度になっている。綴じ部５１０がシート束１００を綴じる位置Ｔ１は、図８（ａ）の実際の形態及び図８（ｂ）の実際の形態に限定されず、綴じ部５１０の構造により種々の位置にすることができる。
【００４４】
この実施の形態の綴じ部５１０は、上型４１１が下型４１２に対して支持軸４１３によって回動自在に支持される。押え板４１４は、上型４１１と下型４１２との間に配置され、支持軸４１３によって回動自在に支持される。上型４１１と押え板４１４との間には、圧縮コイルばね４１５が配置され、押え板４１４と上型４１１との間には板ばね４１６が配置される。
【００４５】
綴じ部５１０には、上型４１１を回動させる駆動装置４３０が備えられる。この駆動装置４３０は、例えば電磁ソレノイドで構成され、電源オンによりプランジャー４３１が上型４１１を押して圧縮コイルばね４１５に抗して回動させ、電源オフにより上型４１１が圧縮コイルばね４１５により元の位置に復帰する。
【００４６】
上型４１１には、切刃４１７、ナイフ４１８、カム４１９が取り付けられる。切刃４１７とナイフ４１８との中間にカム４１９が配置される。カム４１９は上型４１１に固定された切刃４１７に回動自在に支持される。板ばね４２０はカム４１９の背面と係合する。切刃４１７の刃面はＵ字型に、またナイフ４１８の断面は１字型にそれぞれ形成され、これらは組み合わされ、図１５に示すようなＵ字状の切り込みべろ部９１とＩ字状の切り込み孔９２を形成する。ナイフ４１８の中央部にはほぼ長方形の窓４１８ａが明けられている。切刃４１７及びナイフ４１８に対向して、押え板４１４に略長方形の孔４１４ａ，４１４ｂ及び下型４１２に略長方形の孔４１２ａがそれぞれ明けられている。
【００４７】
次に、図１０乃至図１７を参照して、綴じ部５１０の動作について説明する。まず、シート束１００を下型４１２と押え板４１４との間に置く（図１０）。次に、駆動装置４３０の電源オンし、プランジャー４３１により上型４１１を所定位置まで押し下げると、切刃４１７及びナイフ４１８は、押え板４１４の孔４１４ａ，４１４ｂをそれぞれ貫通し、そしてシート束１００を突き抜けて、下型４１２に設けられた孔４１２ａに入り込む。このとき、切刃４１７によってシート束１００にＵ字状の切り込みべろ部９１が形成されとともに、切刃４１８によってシート束１００にＩ字状の切り込み孔９２が形成され、この切られたＵ字状の切り込みべろ部９１にカム４１９の爪４１９ａが係合してＵ字状の切り込みべろ部９１を押し上げる（図１１）。
【００４８】
そして、さらに上型４１１を押し下げると、押え板４１４の孔４１４ａ，４１４ｂの間にある中間部分４１４ｃを支点としてカム４１９は、反時計方向に回転する。このとき、カム４１９の爪４１９ａはＵ字状の切り込みべろ部９１を押し曲げて、その先端をナイフ４１８の窓４１８ａに入れる（図１２）。
【００４９】
駆動装置４３０の電源オフにより、上型４１１は圧縮ばね４１５の作用によって元の位置へ復帰する。これにより、カム４１９は板ばね４２０の作用によって時計方向に回転されて元の位置に戻される（図１３）。このとき、切刃４１７及びナイフ４１８もともに上昇しつつあり、切刃４１７はそのままシート束１００から抜け出るが、ナイフ４１８はシート束１００のＵ字状の切り込みべろ部９１の先端を窓４１８ａに引っ掛けてナイフ４１８が明けたＩ字状の切り込み孔９２にＵ字状の切り込みべろ部９１の先端を差し込んでからシート束１００より抜け出る（図１４）。
【００５０】
これによって、シート束１００の綴じ動作は完了し、図１６及び図１７に示すように、Ｉ字状の切り込み孔９２にＵ字状の切り込みべろ部９１の先端を差し込んでおり、先端が露出する側がシート束１００の表側、すなわち、画像形成されている側である。        
【００５１】
紙粉カス収納部４４０は、綴じ部５１０の下方位置に配置され、綴じ部５１０において切込みによってＵ字状の切り込みべろ部９１とＩ字状の切り込み孔９２を形成する際に生じる紙粉カスを収納する。この紙粉カス収納部４４０は、紙粉カスを導くダウストシュート４４１と、紙粉カスを貯める収納箱４４２と、紙粉カスを収納箱４４２に集める集塵手段を構成するファン４４３とを有する。この実施の形態では、集塵手段はファン４４３で構成しているが、減圧装置を用いてもよい。
【００５２】
ダウストシュート４４１は、綴じ部５１０から収納箱４４２に連通しており、このダウストシュート４４１にファン４４３が配置され、ダウストシュート４４１の上方位置には排気口４４１ａが形成されている。排気口４４１ａには、紙粉カスの漏れを防止するフィルタ４４１ｂが配置される。ファン４４３を駆動し、紙粉カスをダウストシュート４４１を介して導き、確実に紙粉カスを収納箱４４２に溜めることができる。収納箱４４２は、着脱可能であり、所定時期に取り外して交換したり、紙粉カスを排出する。
【００５３】
（除去部の実施の形態）
除去部の実施の形態１を、図１８乃至図２１に示す。図１８は除去部の概略断面図、図１９及び図２０は除去部の要部の斜視図、図２１は除去部の作動を説明する図である。
【００５４】
この実施の形態の除去部５２０は、載置台１０を有する装置本体Ｂに、シート束１００を綴じるステープルＡをシート束から除去するステープル除去手段１１と、ステープル除去手段１１を駆動する駆動手段１３と、除去したステープルを収容する収容部１２を備える。
【００５５】
ステープル除去手段１１は、シート束１００に対して鉛直方向下方位置に配置され、シート束１００を除去セット位置に加圧するプレス板１１０と、プレス板１１０を作動する駆動板１２０と、ステープルＡをシート束１００から除去する爪１３１を有する除去ベース１３０と、駆動手段１３により回転する駆動ホイル１４０を有する。
【００５６】
装置本体の載置台１０には、開口部１０ａが形成されており、シート束１００はステープルＡが開口部１０ａに対応して位置するようにセットされる。プレス板１１０は、装置本体Ｂに上下動可能に設けられ、下方に移動してシート束１００を除去セット位置に加圧し、上方に移動してシート束１００の加圧を解除する。
【００５７】
プレス板１１０は、スプリング１２２によりシート束１００に対して加圧する方向に付勢されている。駆動板１２０は、支持軸１２１に回動可能に設けられ、作用アーム１２０ａと、カム開口１２０ｂを有し、駆動ホイル１４０により駆動板１２０が回動すると、作用アーム１２０ａがプレス板１１０を上下動する構成である。
【００５８】
除去ベース１３０は、支持軸１３２に回動可能に設けられ、除去したステープルを収容部１２に導くガイド部１３０ａと、作用アーム１３０ｂを有し、スプリング１３３により常に初期位置に復帰するように付勢されている。除去ベース１３０には、爪１３１が設けられている。除去ベース１３０の回転により爪１３１が鉛直方向下方位置からシート束１００からステープルＡを引き抜いて除去し、引き抜かれたステープルＡは落下し、ガイド部１３０ａによって導かれて収容部１２に回収される。
【００５９】
駆動ホイル１４０は、駆動軸１４１に固定されている。駆動軸１４１に設けたギヤ１４１ａと、駆動手段１３を構成するモータ１３ａの出力ギヤ１４１ｂにベルト１４２が設けられている。モータ１３ａの駆動によりベルト１４２を介して駆動軸１４１が回転され、駆動ホイル１４０が連動して回転する。この実施の形態の駆動手段１３は、モータ１３ａの電動駆動源を含む構成である。モータ１３ａは、図示しない操作ボタンによって電源に接続されて駆動する。
【００６０】
駆動ホイル１４０は、駆動板１２０のカム開口１２０ｂに係合する第１の突起１４０ａと、除去ベース１３０の作用アーム１３０ｂに係合する第２の突起１４０ｂを有する。駆動ホイル１４０が初期位置に位置するとき、第１の突起１４０ａが駆動板１２０のカム開口１２０ｂに係合し、駆動板１２０を初期位置に位置するように規制している。
【００６１】
駆動ホイル１４０の右方向の回転により、第１の突起１４０ａが連動して回転し、第１の突起１４０ａがカム開口１２０ｂの規制を開放するため、駆動板１２０がスプリング１２２により連動して回転し、プレス板１１０が下方に移動してシート束１００を除去セット位置に加圧する。駆動ホイル１４０がさらに右方向に回転すると、第２の突起１４０ｂが除去ベース１３０の作用アーム１３０ｂに係合し、除去ベース１３０がスプリング１３３に抗して左方向に回転して爪１３１が鉛直方向下方位置からシート束１００からステープルＡを引き抜いて除去する構成である。
【００６２】
次に、除去部の作動を、図２１に基づき説明する。シート束１００のステープルＡが開口部１０ａに対応して位置するようにセットされると、制御手段１７は、駆動手段１３であるモータ１３ａが駆動し、ベルト１４２を介して駆動ホイル１４０を右方向に回転する。駆動ホイル１４０の右方向に回転により、カム開口１２０ｂに係合している第１の突起１４０ａによって回転が規制されている駆動板１２０がスプリング１２２により右方向に回転し、作用アーム１２０ａがプレス板１１０の規制を開放するため、プレス板１１０が下方に移動してシート束１００を除去セット位置に加圧する（図２１（ａ））。
【００６３】
駆動ホイル１４０をさらに右方向に回転させると、第１の突起１４０ａがカム開口１２０ｂから離間し、第２の突起１４０ｂが除去ベース１３０の作用アーム１３０ｂに係合し、除去ベース１３０がスプリング１３３に抗して連動して左方向に回転する（図２１（ｂ））。
【００６４】
駆動ホイル１４０をさらに右方向に回転させると、除去ベース１３０が連動してさらに左方向に回転し、爪１３１が鉛直方向下方位置からシート束１００からステープルＡを引き抜いて除去し、ステープルＡが落下する（図２１（ｃ））。
【００６５】
駆動ホイル１４０をさらに右方向に回転させると、第２の突起１４０ｂが除去ベース１３０の作用アーム１３０ｂから離間し、除去ベース１３０がスプリング１３３により右方向に回転して待機位置に戻る。この除去ベース１３０が右方向に回転して待機位置に戻るときに、除去ベース１３０上に落下したステープルＡは、ガイド部１３０ａによって導かれて収容部１２に回収される（図２１（ｄ））。この除去ベース１３０が待機位置に戻るときに、駆動ホイル１４０はさらに右方向に回転し、第１の突起１４０ａが駆動板１２０のカム開口１２０ｂに係合し、第１の突起１４０ａによって回転が規制され、プレス板１１０を上方に移動させてシート束１００の加圧を解除し、待機位置に戻す。
【００６６】
除去部の実施の形態１を、図２２乃至図２７に基づき説明する。図２２は除去部の斜視図、図２３は除去部の概略断面図、図２４は除去ベースの斜視図、図２５はシート束をセットした状態を示す図、図２６はステープルの位置を確認する状態を示す図、図２７は除去部の作動を説明する図である。
【００６７】
この実施の形態の除去部５２０は、載置台１０を有する装置本体Ｂに、シート束１００を綴じるステープルＡをシート束から除去するステープル除去手段１１と、ステープル除去手段１１を駆動する駆動手段１３と、除去したステープルを収容する収容部１２を備える。
【００６８】
ステープル除去手段１１は、シート束１００に対して鉛直方向下方位置に配置され、シート束１００を除去セット位置に加圧するプレス板１１０と、プレス板１１０を作動する駆動レバー５００と、ステープルＡをシート束１００から除去する爪１３１を有する除去ベース１３０と、駆動レバー５００に設けた駆動アーム５０１を有する。
【００６９】
駆動手段１３は、駆動レバー５００の手動駆動源を含む構成である。載置台１０には、支持ブラケット５０２が設けられ、この支持ブラケット５０２に支持軸５０３を支点に駆動レバー５００が回動可能に設けられ、駆動レバー５００は、手動操作で回転する。駆動レバー５００の中央部には、のぞき窓５２０が設けられ、のぞき窓５２０からセットされたシート束１００のステープルＡを確認することが可能になっている。のぞき窓５２０には、ステープルＡの位置を決める印が設けられている。
【００７０】
装置本体の載置台１０には、開口部１０ａが形成されており、シート束１００はステープルＡが開口部１０ａに対応して位置するようにセットされる。プレス板１１０は、支持軸５０３を支点に回動可能に設けられ、駆動レバー５００に設けられた押圧用板バネ５０４を介して付勢されている。駆動レバー５００を押すと、押圧用板バネ５０４を介してプレス板１１０がシート束１００を除去セット位置に加圧する。プレス板１１０の加圧面側には、弾性シート１１０ａが設けられ、弾性シート１１０ａは、セットされたシート束１００が位置ずれすることがないように確実に押圧する。
【００７１】
除去ベース１３０は、支持軸１３２に回動可能に設けられ、除去したステープルを収容部１２に導くガイド部１３０ａと、連結ピン１３０ｇを有する。連結ピン１３０ｇは、駆動アーム５０１に設けたカム溝５０１ａに係合しており、駆動レバー５００を押すと駆動アーム５０１が回転し、カム溝５０１ａに係合する連結ピン１３０ｇにより除去ベース１３０が支持軸１３２を支点に回動する。
【００７２】
除去ベース１３０には、爪１３１が設けられている。除去ベース１３０の回転により爪１３１が鉛直方向下方位置からシート束１００からステープルＡを引き抜いて除去し、引き抜かれたステープルＡは開口部１０ａから落下し、ガイド部１３０ａによって導かれて収容部１２に回収される。
【００７３】
収容部１２は、載置台１０に引出可能に設けられ、載置台１０にセットした位置で引き抜かれたステープルＡが収容部１２に回収される。ステープルＡが所定個数収容部１２に回収されると、載置台１０に引出してステープルＡを廃棄する。
【００７４】
このように、ステープル除去手段１１は、シート束１００を除去セット位置に加圧するプレス板１１０と、ステープルＡをシート束１００から除去する爪１３１を有する除去ベース１３０と、駆動手段１３により作動する駆動アーム５０１を有し、駆動手段１３によりプレス板１１０を作動させるとともに、駆動アーム５０１を介して除去ベース１３０を作動させて鉛直方向下方位置からステープルＡを除去する。
【００７５】
次に、除去部５２０の作動を、図２７に基づき説明する。シート束１００のステープルＡが開口部１０ａに対応して位置するようにセットされると（図２７（ａ））、ユーザが駆動レバー５００を押す。この駆動レバー５００を押すことによって、図２７（ｂ）乃至図２７（ｄ）に示すように、シート束１００からステープルＡが引き抜かれ、引き抜かれたステープルＡは落下し、収容部１２に回収される。
【００７６】
図２７（ｂ）は動作途中の状態を示し、駆動レバー５００を押すと、押圧用板バネ５０４を介してプレス板１１０が、シート束１００を除去セット位置に加圧する。この駆動レバー５００を押す動作により駆動アーム５０１が連動して回転し、カム溝５０１ａに係合する連結ピン１３０ｇにより除去ベース１３０が、支持軸１３２を支点に回動する。この除去ベース１３０の回転により爪１３１が、鉛直方向下方位置からシート束１００からステープルＡを引き抜く位置に移動する。
【００７７】
図２７（ｃ）は動作終了の状態を示し、駆動レバー５００の回転が停止するとともに、駆動アーム５０１の回転が停止し、除去ベース１３０の回転により爪１３１がシート束１００からステープルＡを引き抜き、引き抜かれたステープルＡは落下し、除去ベース１３０に保持される。
【００７８】
図２７（ｄ）は初期位置復帰の状態を示し、駆動レバー５００が図示しないバネによって初期位置に復帰する。このとき、駆動レバー５００の復帰に連動して駆動アーム５０１が回転し、これにより除去ベース１３０が復帰方向に回転し、除去ベース１３０に保持されているステープルＡが除去ベース１３０から落下し、収容部１２に回収される。
【００７９】
ステープルＡが収容部１２に回収され、ステープルＡが所定個数収容部１２に回収されると、載置台１０に引出してステープルＡを廃棄する（図２７（ｅ））。
【産業上の利用可能性】
【００８０】
この発明は、シート束を綴じ、またはステープルをシート束から除去することができるシート束処理装置に適用可能であり、単一の装置で、シート束を綴じ、またはステープルをシート束から除去することができ、取り扱いが容易で、かつ低コストである。
【符号の説明】
【００８１】
Ａ  ステープル
１００  シート束
５００  シート束処理装置
５１０  綴じ部
５２０  除去部
５３０  綴じ操作部
５４０  除去操作部
５５０ａ，５５０ｂ  シート束検出手段
５６０  制御手段
５７０  ステープル有無検出手段
５８０  制御手段
５９０  報知手段
【図１】
2019034507.tif 000003
【図２】
2019034507.tif 000004
【図３】
2019034507.tif 000005
【図４】
2019034507.tif 000006
【図５】
2019034507.tif 000007
【図６】
2019034507.tif 000008
【図７】
2019034507.tif 000009
【図８】
2019034507.tif 000010
【図９】
2019034507.tif 000011
【図１０】
2019034507.tif 000012
【図１１】
2019034507.tif 000013
【図１２】
2019034507.tif 000014
【図１３】
2019034507.tif 000015
【図１４】
2019034507.tif 000016
【図１５】
2019034507.tif 000017
【図１６】
2019034507.tif 000018
【図１７】
2019034507.tif 000019
【図１８】
2019034507.tif 000020
【図１９】
2019034507.tif 000021
【図２０】
2019034507.tif 000022
【図２１】
2019034507.tif 000023
【図２２】
2019034507.tif 000024
【図２３】
2019034507.tif 000025
【図２４】
2019034507.tif 000026
【図２５】
2019034507.tif 000027
【図２６】
2019034507.tif 000028
【図２７】
2019034507.tif 000029